(57)【特許請求の範囲】
【請求項１】
主映像情報と選択項目を表示するための副映像情報と選択項目をハイライト表示するためのハイライト情報とを含むデータユニットが複数記録された記録情報媒体から情報を再生する情報再生装置であって、
当該ハイライト情報は、前記選択項目を選択する動作を有効に行える有効期間の終了時刻を含み、
複数のデータユニットの主映像情報の再生に跨って、前記選択する動作が有効に行えることを特徴とする情報再生装置。
【請求項２】
主映像情報と選択項目を表示するための副映像情報と選択項目をハイライト表示するためのハイライト情報とを含むデータユニットが複数記録された記録情報媒体から情報を再生する情報再生装置であって、
当該ハイライト情報は、前記選択項目を選択する動作を有効に行える有効期間の終了時刻を含み、
前記選択項目は、複数の前記データユニットの再生に跨り、１のデータユニットに属する主映像が他のデータユニットに属する主映像の表示へと更新された場合にも引続き、表示されることを特徴とする情報再生装置。
【請求項３】
主映像情報と選択項目を表示するための副映像情報と選択項目をハイライト表示するためのハイライト情報とを含むデータユニットが複数記録されており、
前記ハイライト情報が属するデータユニットとは異なる他のデータユニットに跨って有効と成る有効時間情報が記録された記録媒体を再生する情報再生装置であって、前記有効時間情報に対応してハイライト情報を有効とすることを特徴する情報再生装置。
【請求項４】
前記副映像情報は、複数のデータユニットの主映像情報の再生に跨って、表示されることを特徴とする請求項１ないし３に記載の情報再生装置。
【請求項５】
前記ハイライト情報には、前記選択する動作がなされたときに実行されるべき動作を示すコマンド情報を含み、前記コマンド情報に基づいた動作を実行することを特徴とする請求項１ないし４に記載の情報再生装置。
【請求項６】
前記ハイライト情報は、前記選択項目の色情報を含み、
前記選択する動作に応じて、前記色情報に基づき前記選択項目の色を変化させて表示することを特徴とする請求項１ないし５に記載の情報再生装置。
【請求項７】
前記ハイライト情報は、前記選択項目の表示位置を示す位置情報を含み、
前記選択する動作に応じて、前記位置情報に基づいた位置に前記選択項目を表示することを特徴とする請求項１ないし６に記載の情報再生装置。
【請求項８】
前記ハイライト情報は、カーソルの移動先を示す移動情報を含み、
移動操作がおこなわれたとき、前記移動情報に基づき前記カーソルを移動させて表示することを特徴とする請求項１ないし７に記載の情報再生装置。
【請求項９】
少なくとも一つの映像情報、音声情報及び副映像情報に対応する記録情報及び制御情報を含む複数のデータユニットを記録し、前記制御情報は選択項目をハイライト表示するためのハイライト情報を含むと共に、前記ハイライト情報は前記選択項目のハイライト表示が有効となっている有効期間を示す有効時間情報を含み、更に、前記有効時間情報は、１或いは複数のデータユニットの再生期間よりも長い期間として設定されている情報記録媒体から前記記録情報を再生するための情報再生装置であって、
前記情報記録媒体から前記記録情報を読み出し、検出信号を取得するための検出手段と、
前記検出信号を復調し、復調信号を取得するための復調手段と、
前記制御情報と前記ハイライト情報に基づいて前記記録情報の再生を制御する制御手段と、
を具備することを特徴とする情報再生装置。
【請求項１０】
請求項９に記載の情報再生装置であって、
前記制御情報は、前記データユニットの先頭部分に位置することを特徴とする情報再生装置。
【請求項１１】
請求項９に記載の情報再生装置であって、
前記選択項目は前記副映像情報に基づいて表示されることを特徴とする情報再生装置。
【請求項１２】
請求項９に記載の情報再生装置であって、
前記ハイライト情報は入力操作に基づく前記選択項目の色を示すことを特徴とする情報再生装置。
【請求項１３】
少なくとも一つの映像情報、音声情報及び副映像情報に対応する記録情報及び制御情報を含む複数のデータユニットであって、
前記制御情報が選択項目をハイライト表示するためのハイライト情報を含み、
前記ハイライト情報が前記選択項目のハイライト表示が有効となっている有効期間を示す有効期間情報を含み、
更に前記有効期間情報が１或いは複数のデータユニットの再生期間よりも長い期間として設定されている前記データユニットを情報記録媒体に記録させる記録手段を具備することを特徴とする情報記録装置。
【請求項１４】
請求項１３に記載の情報記録装置であって、
前記記録手段は、前記データユニットの先頭部分に前記制御情報を位置させることを特徴とする情報記録装置。
【請求項１５】
請求項１３に記載の情報記録装置であって、
前記選択項目は前記副映像情報に基づいて表示されるものであることを特徴とする情報記録装置。
【請求項１６】
請求項１３に記載の情報記録装置であって、
前記ハイライト情報は入力操作に基づく前記選択項目の色を示すものであることを特徴とする情報記録装置。
【発明の詳細な説明】
【技術分野】
【０００１】
本発明は、ＤＶＤに代表される映像、音声等の情報を高密度に記録可能な高密度光ディスク等の情報記録媒体に情報を記録するための情報記録装置、及び当該情報記録媒体から情報を再生するための情報再生装置の技術分野に属する。
【背景技術】
【０００２】
従来は、映像、音声等の情報が記録された光ディスクとしては、いわゆるＬＤ（Laser Disk）、ＣＤ（Compact Disk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【発明の開示】
【発明が解決しようとする課題】
【０００４】
しかしながら、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、上記のように視聴者に対して種々の選択枝を提示し、選択された記録情報の内容を正確、確実且つスムーズに再生することができるような記録情報の記録については、未だ提案も開発もされておらず、更には視聴者に対して種々の選択枝を提示し、選択された記録情報の内容を正確且つ確実に再生するという課題自体が当業者の間で認識されていないのが現状である。
【０００７】
そこで、本発明の課題は、記録情報を正確且つスムーズに再生すると共に、視聴者の要求に対応して変化に富んだ記録情報の再生ができるように情報を記録するための情報記録装置及び上記正確、スムーズ且つ変化に富んだ再生を低コストで実行することができる情報再生装置を提供することにある。
【課題を解決するための手段】
【０００８】
上記の課題を解決するために、請求項１に記載の発明は、主映像情報と選択項目を表示するための副映像情報と選択項目をハイライト表示するためのハイライト情報とを含むデータユニットが複数記録された記録情報媒体から情報を再生する情報再生装置であって、当該ハイライト情報は、前記選択項目を選択する動作を有効に行える有効期間の終了時刻を含み、複数のデータユニットの主映像情報の再生に跨って、前記選択する動作が有効に行えることを特徴とする。
【０００９】
請求項１に記載の発明によれば、複数のデータユニットの再生に跨って、前記選択する動作が有効とされ、選択項目の表示中に再生対象となるデータユニットが変更された場合においても、引続き選択ボタンを表示させること可能となる。
【００１０】
上記の課題を解決するために、請求項２に記載の発明は、主映像情報と選択項目を表示するための副映像情報と選択項目をハイライト表示するためのハイライト情報とを含むデータユニットが複数記録された記録情報媒体から情報を再生する情報再生装置であって、当該ハイライト情報は、前記選択項目を選択する動作を有効に行える有効期間の終了時刻を含み、前記選択項目は、複数の前記データユニットの再生に跨り、１のデータユニットに属する主映像が他のデータユニットに属する主映像の表示へと更新された場合にも引続き、表示されることを特徴とする。
【００１１】
請求項２に記載の発明によれば、選択項目が複数のデータユニットの再生に跨り、１のデータユニットに属する主映像が他のデータユニットに属する主映像の表示へと更新された場合にも引続き、表示されることとなるため、選択項目の表示中に再生対象となるデータユニットが変更された場合においても、引続き選択ボタンを表示させること可能となる。
【００１２】
上記の課題を解決するために、請求項３に記載の発明は、主映像情報と選択項目を表示するための副映像情報と選択項目をハイライト表示するためのハイライト情報とを含むデータユニットが複数記録されており、前記ハイライト情報が属するデータユニットとは異なる他のデータユニットに跨って有効と成る有効時間情報が記録された記録媒体を再生する情報再生装置であって、前記有効時間情報に対応してハイライト情報を有効とすることを特徴する。
【００１３】
請求項３に記載の発明によれば、選択項目を表示するためのハイライト情報が、当該ハイライト情報の属するデータユニットとは異なる他のデータユニットに跨って有効とされるため、選択項目の表示中に再生対象となるデータユニットが変更された場合においても、引続き選択ボタンを表示させること可能となる。
【００１４】
上記の課題を解決するために、請求項９に記載の発明は、少なくとも一つの映像情報、音声情報及び副映像情報に対応する記録情報及び制御情報を含む複数のデータユニットを記録し、前記制御情報は選択項目をハイライト表示するためのハイライト情報を含むと共に、前記ハイライト情報は前記選択項目のハイライト表示が有効となっている有効期間を示す有効時間情報を含み、更に、前記有効時間情報は、１或いは複数のデータユニットの再生期間よりも長い期間として設定されている情報記録媒体から前記記録情報を再生するための情報再生装置であって、前記情報記録媒体から前記記録情報を読み出し、検出信号を取得するための検出手段と、前記検出信号を復調し、復調信号を取得するための復調手段と、前記制御情報と前記ハイライト情報に基づいて前記記録情報の再生を制御する制御手段と、を具備することを特徴とする。
【００１５】
請求項９に記載の発明によれば、情報記録媒体から記録情報に対応した検出信号が取得され、この検出信号が復調されると共に、制御情報とハイライト情報に基づいて記録情報の再生が制御される。
【００１６】
このため、選択項目の有効期間が１或いは複数のデータユニットの再生期間よりも長い期間として設定されることとなり、選択項目の表示中に再生対象となるデータユニットが変更された場合においても、引続き選択ボタンを表示させること可能となる。
【００１７】
上記の課題を解決するために、請求項１３に記載の発明は、少なくとも一つの映像情報、音声情報及び副映像情報に対応する記録情報及び制御情報を含む複数のデータユニットであって、前記制御情報が選択項目をハイライト表示するためのハイライト情報を含み、前記ハイライト情報が前記選択項目のハイライト表示が有効となっている有効期間を示す有効期間情報を含み、更に前記有効期間情報が１或いは複数のデータユニットの再生期間よりも長い期間として設定されている前記データユニットを情報記録媒体に記録させる記録手段を具備することを特徴とする。
【００１８】
請求項１３に記載の発明によれば、情報記録媒体に記録された情報の再生時にハイライト情報に基づく再生制御がなされ、選択項目の有効期間が１或いは複数のデータユニットの再生期間よりも長い期間として設定されることとなる。この結果、選択項目の表示中に再生対象となるデータユニットが変更された場合においても、引続き選択ボタンを表示させること可能となる。
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【発明の効果】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【発明を実施するための最良の形態】
【００６６】
次に、本発明に好適な実施の形態について説明する。なお、以下に説明する実施の形態は、上記ＤＶＤに対して本発明を適用した実施の形態について説明するものである。
【００６７】
なお、以下の実施の形態においては、下記リストの左側に示した特許請求の範囲における各構成要素の一例が、下記リストの右側に示した要素から夫々構成されている。
【００６８】
再生表示制御情報       ：ＰＣＩ（Presentation Control Information）データ
検索制御情報            ：ＤＳＩ（Data Search Information ）データ
（Ｉ）情報記録媒体の実施の形態
始めに、本願に対応する情報記録媒体の実施の一形態であるＤＶＤの物理的及び論理的な構成並びにその動作について、図１乃至図６を用いて説明する。
【００６９】
始めに、映像情報及び音声情報のＤＶＤ上における記録フォーマット（物理的記録フォーマット）について、図１を用いて説明する。
【００７０】
図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video Title Set ）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語のセリフ等を有する複数の映画が夫々にタイトルとして記録されたり、又は、同じ映画であっても劇場版と特別版とが夫々別のタイトルとして記憶されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録されている。
【００７１】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００７２】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information ）等の情報が記録される。また、各ＶＯＢ１０には、制御情報の他に映像情報及び音声情報の実体部分（制御情報以外の映像又は音声そのもの）が記録されている。
【００７３】
更に、一のＶＯＢ１０は、夫々にＩＤ番号を有する複数のセル２０により構成されている。ここで、一のＶＯＢ１０は、複数のセル２０により完結するように構成されており、一つのセル２０が二つのＶＯＢ１０に跨がることはない。
【００７４】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）の夫々を含む情報単位である。
【００７５】
そして、一のＶＯＢユニット３０は、ナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声は８種類であり、記録可能な副映像の種類は３２種類であることが規格上定められている。
【００７６】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００７７】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００７８】
最後に、ナビパック４１は、再生表示させたい映像又は音声等を検索するための検索情報（具体的には、当該再生表示させたい映像又は音声等が記録されているＤＶＤ１上のアドレス等）であるＤＳＩデータ５１と、ＤＳＩデータ５１に基づいて検索された映像又は音声を表示する際の再生表示制御に関する情報であるＰＣＩデータ５０とにより構成され、更に、一のＶＯＢユニット３０に含まれている全てのビデオデータ４２は、夫々にＩＤ番号を有する一又は複数のＧＯＰ（Group Of Picture）により構成されている。
【００７９】
なお、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００８０】
更に、メニュー画面を構成して表示するために必要な、枠、選択ボタン等を表示するための画像情報は、上記の副映像情報であるサブピクチャデータ４４として記録される。
【００８１】
また、ハイライト情報内に、後述の再生装置におけるシステムコントローラ内のレジスタ（メモリ）の値を設定するための情報を含ませることもできる。この点について、例えば、ＤＶＤ１に記録されている記録情報が教育用ソフトウェアである場合を用いて説明すると、教育用ソフトウェアにおいては、テスト問題を表示部に表示し、次に複数個の解答候補を視聴者が選択する選択項目としてサブピクチャデータ４４を用いて表示する場合がある。このとき、ハイライト情報には個々の選択項目に対応するコマンド情報が含まれており、問題の正解に対応する選択項目が視聴者により選択された場合に、システムコントローラは、当該選択項目に対応するハイライト情報内のコマンド情報により、当該システムコントローラに含まれる所定のレジスタに正解に対応する所定の得点を加算し、不正解の選択項目が選択された場合には得点の加算を行わないようにする。以下、同様に所定数の問題について出題と解答を繰返し、全ての解答終了後に、システムコントローラは、他のコマンド情報（例えば、ＰＧＣＩ内のコマンド情報）により、得点を累積した上記所定のレジスタを参照し、得点が予め設定されている所定の値より大きければ次の学習段階の問題等が記録されているＤＶＤ１上の記録位置にピックアップをジャンプさせ、反対に得点が所定の値より小さければ復習のソフトウェアが記録されている記録位置にピックアップをジャンプさせることを行う。以上の例のように、ハイライト情報によりシステムコントローラ内のレジスタを設定することも可能なのである。
【００８２】
一方、上記ＧＯＰは、本実施の形態におけるＤＶＤ１に映像情報を記録する際に採用されている画像圧縮方式であるＭＰＥＧ２（Moving Picture Experts Group ２）方式の規格において定められている単独で再生可能な最小の画像単位である。
【００８３】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００８４】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture ：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成された予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００８５】
なお、本実施の形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００８６】
以上説明した図１に示す階層構造の記録フォーマットにおいて、夫々の区分は、製作者がその意図に応じて自在に区分設定をして記録させるものである。これらの区分毎に後述の論理構造に基づいて再生することにより、変化に富んだ種々の再生が可能となるのである。
【００８７】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【００８８】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title ）という。
【００８９】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【００９０】
ここで、一のセル２０の番号については、当該セル２０を図１に示す物理フォーマットにおいて取り扱う際にはセルＩＤ番号と称され（図１中、セルＩＤ＃と示す。）、図３に示す論理フォーマットにおいて取り扱う際には単にセル番号と称される。
【００９１】
次に、複数のプログラム６０を組合わせて一のＰＧＣ（Program Chain ）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つの再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【００９２】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００９３】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００９４】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【００９５】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図３に示す一のＶＴＳ６３に相当する情報は、図１に示す一のＶＴＳ３に含まれている情報に対応している。すなわち、ＤＶＤ１には、図３に示すＶＴＳ６３内に論理上含まれる全ての情報が一のＶＴＳ３として纏めて記録されていることとなる。
【００９６】
以上説明した論理フォーマットに基づいて、物理構造において区分された情報を製作者が指定することにより、視聴者が見るべき映像（映画等）が形成されるのである。
【００９７】
なお、図１に示す物理構造の説明においては、内容の理解の容易化のため、複数のセル２０がＩＤ番号の順に記録されているとして説明したが、実施の形態のＤＶＤ１においては、実際には、一のセル２０が図４に示す複数のインターリーブドユニットＩＵに分割されて記録される場合がある。
【００９８】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０ＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【００９９】
そこで、図４に示す場合には、ＩＤ番号２のセル２０とＩＤ番号３のセル２０を、後述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【０１００】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【０１０１】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【０１０２】
以上説明したような種々の階層の情報を記録する必要があるため、上述の記録フォーマットを有する記録情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【０１０３】
次に、上記の物理構造及び論理構造を有する映像情報及び音声情報のうち、特に本発明に係るＰＣＩデータ５０及びＤＳＩデータ５１について、図５を用いて説明する。
【０１０４】
先ず、ＤＳＩデータ５１には、上述のように、再生表示させたい情報を検索するための検索情報、より具体的には、再生表示させたい映像や音声若しくは副映像を上記ＶＯＢユニット３０の単位で検索するための情報及び上記シームレス再生を行うための情報並びに映像に同期した音声や副映像を検索するための情報等が記述される。
【０１０５】
これらの情報を分類すると、以下のように分類される。
【０１０６】
（１）視聴者から指定されたある動作の開始時点において、予め後述の再生装置における各構成部材のタイミングを設定するための情報
（２）後述の再生装置におけるピックアップの、図３に示す論理構造上のデータ区分に対応するＤＶＤ１上の位置を知るための情報
（３）再生表示しようとするデータのみを後述の再生装置におけるトラックバッファに書き込むための情報
（４）アクセス（検出）したいデータのＤＶＤ１上の記録位置（目標位置）を示す情報
（５）アクセスのためにデータをサーチした際、所望のデータのアドレスが検出できなかったときに他のデータ等を保護するための保護情報
次に、上記のように分類された情報が記録されるＤＳＩデータ５１内に、上記の夫々の情報が具体的にどのように記録されるかについて、図５（ａ）を用いて説明する。
【０１０７】
図５（ａ）に示すように、ＤＳＩデータ５１は、具体的には、一のＤＳＩデータ５１内で共通に使用される一般情報と、シームレス再生のためのシームレス情報と、後述のアングル再生を行うためのアングル飛び先情報と、所望のＶＯＢユニット３０を検索するためのＶＯＢユニットサーチ情報と、当該ＤＳＩデータ５１が含まれているＶＯＢユニット３０と同期して再生表示すべきサブピクチャデータ４４又はオーディオデータ４３に関する情報である同期再生情報とにより構成される。
【０１０８】
ここで、上記アングル飛び先情報が適用されるアングル再生について説明すると、本実施の形態のＤＶＤ１には、例えば、一の映画（タイトル６２）について、同じ時間軸上の場面を複数の視点から見た映像情報を記録することが可能である。すなわち、より具体的には、一の映画について、それに出演している男優の視点からある情景を見た映像と、女優の視点から同じ情景を見た映像とを記録することが可能なのである。そして、これらの映像を、例えば視聴中の入力操作によって視聴者の選択により切り換えて再生することが可能であり、これをアングル切り換え再生という。
【０１０９】
また、図５（ａ）に示す各情報について更に詳細に説明すると、一般情報としては、視聴者から指定されたある動作について、予め後述の再生装置における各構成部材の再生開始タイミングを設定するための時間情報と、図３に示す論理構造を構成するための各データのＤＶＤ１上の記録位置（論理アドレス）と、データサーチの際、所望のデータのアドレスが検出できなかったときに他のデータ等を保護するための保護情報と、後述の再生装置におけるタイムサーチ動作のための時間情報（セル２０内の経過時間情報等）とが記録される。
【０１１０】
また、シームレス情報としては、シームレス再生に必要な各データのＤＶＤ１上の記録位置（論理アドレス）と、シームレス再生において、各再生画面の接続のタイミングを予め設定するための時間情報とが記録される。
【０１１１】
更に、アングル飛び先情報としては、アングルを切り換えるときシームレス（連続的）に切り換え再生を行うための再生すべきデータのＤＶＤ１上の記録位置を示すアドレス情報が記録されている。
【０１１２】
また、ＶＯＢユニットサーチ情報としては、当該ＤＳＩデータ５１の近傍の所定の範囲に存在する他の再生すべきＶＯＢユニット３０（すなわち、他のＤＳＩデータ５１）のＤＶＤ１上の記録位置を示すアドレス情報が記録されている。
【０１１３】
最後に、同期再生情報としては、当該ＤＳＩデータ５１が含まれているＶＯＢユニット３０と同期して再生表示すべきサブピクチャデータ４４又はオーディオデータ４３のＤＶＤ１上の記録位置を示すアドレス情報が記録されている。
【０１１４】
以上説明した各情報を含むＤＳＩデータ５１を用いることにより、後述の再生装置において、タイムサーチ動作等の処理が可能となるのである。
【０１１５】
次に、本発明に係るＰＣＩデータ５０について説明する。
【０１１６】
ＰＣＩデータ５０には、上述のように、ＤＳＩデータ５１に基づいて検索してきた情報を再生表示する際の再生表示制御情報、すなわち、より具体的には、ＤＳＩデータ５１に基づいて検索してきたＶＯＢユニット３０内のビデオデータ４２、オーディオデータ４３及びサブピクチャデータ４４の再生状態に同期して表示内容を変更制御するための情報が記述される。
【０１１７】
これらの情報を分類すると、以下のように分類される。
【０１１８】
（１）実際に表示中の映像、音声及び副映像（サブピクチャ）についての再生表示制御情報
（２）各データの出力情報
（３）視聴者とのいわゆるユーザインターフェースに関する情報
次に、上記のように分類された情報が記録されるＰＣＩデータ５０内に、上記の夫々の情報が具体的にどのように記録されるかについて、図５（ｂ）を用いて説明する。
【０１１９】
図５（ｂ）に示すように、ＰＣＩデータ５０は、具体的には、一のＰＣＩデータ５０内で共通に使用される一般情報と、非シームレスにアングル切り換え再生を行うためのアングル飛び先情報と、上述のハイライト情報とにより構成される。
【０１２０】
ここで、非シームレスに行われるアングル切り換え再生について説明すると、上記ＤＳＩデータ５１に含まれるアングル飛び先情報は、アングル切り換え再生において、場面の切り換え時に映像が止ったり途切れたりしないシームレスのアングル切り換え再生に対して適用されるものであるが、上記ＰＣＩデータ５０内のアングル飛び先情報が適用される非シームレスアングル切り換え再生は、場面と場面の切り換わり時に画像が一時的に静止し、その静止している間にピックアップが次に再生すべき映像が記録されているＤＶＤ１上の記録位置にジャンプすることによりアングルを切り換えるアングル切り換え再生である。前述のシームレスアングル切り換え再生ではアングルを連続的に切り換えられる反面、アングル切り換えの連続性を保証するために所定のＤＶＤ１上の位置まで再生して後述の再生装置のトラックバッファを満たしてから切り換えるので、アングルの切り換え時に時間遅れが生じることがあるが、非シームレスアングル切り換え再生においては、アングルの切り換え時に一時的に映像が停止するものの、アングルの切り換えにおける時間遅れは生じないという特徴がある。
【０１２１】
図５（ｂ）に示す各情報について更に説明すると、一般情報としては、当該ＰＣＩデータ５０が記録されているＶＯＢユニット３０の属性や当該ＶＯＢユニット３０の再生表示制御に関するもの、又は視聴者から指定されたある動作についてのユーザインターフェースの許可又は禁止に関する情報が記録される。
【０１２２】
また、アングル飛び先情報としては、非シームレスにアングルを切り換えてアングル切り換え再生を行うための再生すべきデータのＤＶＤ１上の記録位置を示すアドレス情報が記録されている。
【０１２３】
また、ハイライト情報としては、視聴者の選択のための各選択枝に対応してメニュー画面等で表示されている選択ボタンが有効に選択動作を行える有効期間（複数のＶＯＢユニット３０に渡って有効とされる場合があり、当該有効期間の始まりと終わりの時刻により定義される。）を示す有効期間情報と、視聴者の選択動作に基づいて、選択ボタンの色を変化させて表示するための色情報と、選択ボタンに対応する表示位置を示す位置情報と、視聴者の選択動作に基づいて、上記選択ボタンが選択されたことを示すカーソルの移動操作が行われたときの移動先を示す移動情報と、夫々の選択ボタンに対応し、当該選択ボタンが選択されたときに実行されるべき動作を示すコマンド情報（上述したシステムコントローラ内のレジスタの設定等）とが記録される。
【０１２４】
このハイライト情報についてより詳細には、当該ハイライト情報において記述される情報は、サブピクチャデータ４４内に記録されているデータを用いて表示される選択ボタンに関するものであり、選択項目に対応する選択枝はビデオデータ４２（ＶＯＢユニット３０内に含まれている。）に基づいて表示されている映像に重ねて表示されることとなる。
【０１２５】
従って、映像が更新された場合にも引続き選択ボタンを表示させ、それに対して選択された動作を有効とする期間を定める必要がある場合（すなわち、ハイライト情報に対応するＶＯＢユニット３０が表示されている時間と当該ハイライト情報に基づく選択ボタンの選択の有効期間が異なる場合）がある。そこで、本発明ではハイライト情報の中に選択ボタンが有効に選択動作を行える有効期間を示す有効期間情報を記憶するように構成し、図６に示すように、複数のＶＯＢユニット３０に跨がって一のハイライト情報を有効としているのである。
【０１２６】
なお、上記のような映像から独立した情報を有するハイライト情報を活用するために、後述の再生装置においては、ＰＣＩデータ５０をデコードするデコーダにおいて当該ＰＣＩデータ５０からハイライト情報を分離し、これを専用のハイライトデコーダでデコードするようにしているのである。
【０１２７】
以上説明した各情報を含むＰＣＩデータ５０を用いることにより、後述の再生装置において、非シームレスアングル切り換え再生及びハイライト情報に対応するメニュー画面による選択動作等の処理が可能となるのである。
【０１２８】
（II）情報記録装置の実施の形態
次に、上述の制御情報、映像情報及び音声情報をＤＶＤ１に記録するための本願に対応する記録装置の実施の形態について、図７を用いて説明する。
【０１２９】
図７に示すように、実施の形態に係る記録装置Ｓ１は、ＶＴＲ（Video Tape Recorder ）７０と、メモリ７１と、信号処理部７２と、ハードディスク装置７３及び７４と、コントローラ７５と、多重器７６と、変調器７７と、記録手段としてのマスタリング装置７８とにより構成されている。
【０１３０】
次に、動作を説明する。
【０１３１】
ＶＴＲ７０には、ＤＶＤ１に記録すべき音楽情報や映像情報等の素材である記録情報Ｒが一時的に記録されている。そして、ＶＴＲ７０に一時的に記録された記録情報Ｒは、信号処理部７２からの要求により当該信号処理部７２に出力される。
【０１３２】
信号処理部７２は、ＶＴＲ７０から出力された記録情報ＲをＡ／Ｄ変換した後、ＭＰＥＧ２方式を用いて圧縮処理し、音楽情報と映像情報とを時間軸多重して圧縮多重信号Ｓr として出力する。その後、出力された圧縮多重信号Ｓr は、ハードディスク装置７３に一時的に記憶される。
【０１３３】
これらと並行して、メモリ７１は、上記記録情報Ｒの再生を制御するための制御情報（図１における、ビデオマネージャ２、コントロールデータ１１及びＰＣＩデータ５０及びＤＳＩデータ５１を含むナビパック４１等）が記載されたキューシートＳＴに基づき予め入力された当該制御情報を一時的に記憶し、信号処理部７２からの要求に基づいて制御情報信号Ｓi として出力する。
【０１３４】
そして、信号処理部７２は、ＶＴＲ７０から出力される上記記録情報Ｒに対応したタイムコードＴt 及びメモリ７１から出力される制御情報信号Ｓi に基づき、タイムコードＴt を参照して制御情報からＰＣＩデータ５０及びＤＳＩデータ５１を分離し、夫々対応するＰＣＩ情報信号Ｓpci 及びＤＳＩ情報信号Ｓdsi として出力し、当該ＰＣＩ情報信号Ｓpci 及びＤＳＩ情報信号Ｓdsi がハードディスク装置７４に一時的に記憶される。このとき、ＰＣＩデータ５０及びＤＳＩデータ５１以外の制御情報については、図７においては図示を省略しているが、ＰＣＩデータ５０及びＤＳＩデータ５１と同様に信号処理部７２において夫々に分離され、ハードディスク装置７４に記憶される。
【０１３５】
以上の処理が記録情報Ｒ全体について実行される。
【０１３６】
記録情報Ｒの全てについて上記の処理が終了すると、コントローラ７５は、ハードディスク装置７３から圧縮多重信号Ｓr を読み出すとともにハードディスク装置７４からＰＣＩ情報信号Ｓpci 及びＤＳＩ情報信号Ｓdsi 並びにその他の制御情報を読み出し、これらに基づいて当該ＰＣＩデータ５０及びＤＳＩデータ５１並びにその他の制御信号を夫々独立に含む付加情報を生成し、ハードディスク装置７４に一時的に再記録する。これは、各制御情報の中には、圧縮多重信号Ｓr の生成結果によって内容が定まるものがあるからである。
【０１３７】
一方、コントローラ７５は、上記信号処理部７２、ハードディスク装置７３及び７４の夫々の動作の時間管理を行い、ＰＣＩ情報信号Ｓpci 及びＤＳＩ情報信号Ｓdsi を含む付加情報信号Ｓa をハードディスク装置７４から読み出して出力すると共に、圧縮多重信号Ｓr と付加情報信号Ｓa を時間軸多重するための情報選択信号Ｓccを生成して出力する。
【０１３８】
その後、圧縮多重信号Ｓr と付加情報信号Ｓa は、コントローラ７５からの情報選択信号Ｓccに基づき、ハードディスク装置７３又は７４から読み出され、多重器７６により時間軸多重されて情報付加圧縮多重信号Ｓapとして出力される。この情報付加圧縮多重信号Ｓapの段階では、記録すべき情報は、コントローラ７５の情報選択信号Ｓccを用いた切り換え動作によって制御情報と映像情報及び音声情報とが合成され、図１に示す物理構造（物理フォーマット）となっている。そして、ＰＣＩデータ５０及びＤＳＩデータ５１については、夫々独立してナビパック４１に含まれていることとなる。
【０１３９】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれることなる。
【０１４０】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓm を生成し、マスタリング装置７８に出力する。
【０１４１】
最後に、マスタリング装置７８は、当該ディスク記録信号Ｓm を光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１４２】
以上説明したように、実施の形態の記録装置Ｓ１によれば、ＰＣＩデータ５０とＤＳＩデータ５１が分割されて記録されるので、可変レート方式で圧縮記録されている記録情報Ｒを再生する再生装置における可変レートによる再生への影響を吸収するため又はシームレス再生のためのトラックバッファに対して、再生された記録情報Ｒが入力する前にＤＳＩデータ５１を抽出して記録情報Ｒの検索に使用すると共に、当該トラックバッファから記録情報Ｒが出力される際にＰＣＩデータ５０を抽出して表示する記録情報Ｒに対応した再生表示制御を行うことができる。
【０１４３】
また、ＰＣＩデータ５０がハイライト情報を含み、更に当該ハイライト情報がメニュー画面等を用いた内容選択動作が有効である期間を示す有効期間情報を含むので、記録情報Ｒの再生に対応させて選択項目の表示を制御することができると共に、任意の期間でハイライト情報による選択動作を有効とすることができる。
【０１４４】
更にまた、ＤＳＩデータ５１が、アクセス（検出）したいデータのＤＶＤ１上の記録位置（目標位置）を示すＶＯＢユニットサーチ情報を含むので、記録情報Ｒの再生時において、トラックバッファに入力される前に当該目標位置を示すＶＯＢユニットサーチ情報を取得することができることとなり、上記検出すべき記録情報Ｒの検索を容易に行うことができる。
【０１４５】
（III ）情報再生装置の実施の形態
次に、上記の記録装置Ｓ１によりＤＶＤ１に記録された情報を再生するための本願に対応する再生装置の実施の形態を、図８乃至図１３を用いて説明する。
【０１４６】
始めに、図８を用いて、実施の形態の再生装置の構成及び動作について説明する。
【０１４７】
図８に示すように、実施の形態に係る再生装置Ｓ２は、検出手段としてのピックアップ８０と、復調手段としての復調訂正部８１と、ストリームスイッチ８２及び８４と、トラックバッファ８３と、システムバッファ８５と、デマルチプレクサ８６と、ＶＢＶ（Video Buffer Verifier ）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、制御手段としてのシステムコントローラ１００と、ドライブコントローラ１０１と、スピンドルモータ１０２と、スライダモータ１０３とにより構成されている。なお、図８に示す構成は、再生装置２の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１４８】
次に、全体動作を説明する。
【０１４９】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓp を出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１５０】
ピックアップ８０から出力された検出信号Ｓp は、復調訂正部８１に入力され、復調処理及び誤り訂正処理が行われて復調信号Ｓdmが生成され、ストリームスイッチ８２及びシステムバッファ８５に出力される。
【０１５１】
復調信号Ｓdmが入力されたストリームスイッチ８２は、ドライブコントローラ１０１からのスイッチ信号Ｓsw1 によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１５２】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が開とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１５３】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2 により開閉が制御される。
【０１５４】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓc としてシステムコントローラ１００に出力すると共に、再生中にナビパック４１毎のＤＳＩデータ５１を一時的に蓄積し、システムコントローラ１００に制御情報Ｓc として出力する。
【０１５５】
ストリームスイッチ８４を介して復調信号Ｓdmが連続的に入力されたデマルチプレクサ８６においては、当該復調信号Ｓdmからビデオデータ４２、オーディオデータ４３、サブピクチャデータ４４及びナビパック４１毎のＰＣＩデータ５０を分離し、ビデオ信号Ｓv 、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１５６】
ビデオ信号Ｓv が入力されるＶＢＶバッファ８７は、ＦＩＦＯメモリ等により構成され、ビデオ信号Ｓv を一時的に蓄積し、ビデオデコーダ８８に出力する。ＶＢＶバッファ８７は、ＭＰＥＧ２方式により圧縮されているビデオ信号Ｓv における各ピクチャ（図２参照）毎のデータ量のばらつきを補償するためのものである。そして、データ量のばらつきが補償されたビデオ信号Ｓv がビデオデコーダ８８に入力され、ＭＰＥＧ２方式により復調が行われて復調ビデオ信号Ｓvdとして混合器９１に出力される。
【０１５７】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspd として混合器９１に出力される。
【０１５８】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１５９】
ビデオデコーダ８８から出力された復調ビデオ信号Ｓvd及びサブピクチャデコーダ９０から出力された復調副映像信号Ｓspd （対応する復調ビデオ信号Ｓvdとの同期が取れている。）は、混合器９１により混合され、最終的な表示すべき映像信号Ｓvpとして図示しないＣＲＴ（Cathod Ray Tube ）等の表示部に出力される。
【０１６０】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv 又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓadは、オーディオデコーダ９３に出力され、所定のデコードが施されて復調オーディオ信号Ｓadd として図示しないスピーカ等に出力される。なお、所望の情報へのアクセス直後の再生等において一時的に音声を中断する（ポーズする）必要があることが検出された場合には、システムコントローラ１００からポーズ信号Ｓcaがオーディオデコーダ９３に出力され、当該オーディオデコーダ９３において一時的に復調オーディオ信号Ｓadd の出力を停止する。
【０１６１】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０１６２】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhid としてシステムコントローラ１００に出力される。この復調ハイライト信号Ｓhid の中に上記システムコントローラ１００内のレジスタを設定するための情報が含まれている。
【０１６３】
ここで、システムコントローラ１００は、当該復調ハイライト信号Ｓhid に基づき、ハイライト情報による表示状態の変更を行うべく、上記のハイライト制御信号Ｓchを出力することとなる。このとき、システムコントローラ１００は、復調ハイライト信号Ｓhid に含まれるハイライト情報の有効期間（図６参照）を示す有効期間情報に基づいて当該ハイライト情報に基づくメニュー画面等を用いた選択動作を有効とすべく、入力部９８からの入力信号Ｓinによる選択動作を受け付けると共に、上記ハイライト制御信号Ｓchを出力することとなる。
【０１６４】
更に、システムコントローラ１００は、システムバッファ８５から入力される制御情報Ｓc 、ＰＣＩデコーダ９５から入力されるＰＣＩ情報信号Ｓpci 及びリモコン等の入力部９８から入力される入力信号Ｓinに基づき、それらの信号に対応した正しい再生を行うために上記のスイッチ信号Ｓsw2 、ストリーム選択信号Ｓlc、ポーズ信号Ｓca、ハイライト制御信号Ｓchを出力すると共に、再生装置Ｓ２の動作状況等を表示するために表示信号Ｓdpを液晶表示装置等のディスプレイ９９に出力する。
【０１６５】
更にまた、システムコントローラ１００は、上記ＤＳＩ情報信号Ｓdsi 等により、シームレス再生のためにサーチ等のトラックジャンプの処理が必要であることを検出したときには、ドライブコントローラ１０１に対して、当該トラックジャンプの処理に対応するシームレス制御信号Ｓcsl を出力する。
【０１６６】
そして、シームレス制御信号Ｓcsl が入力されたドライブコントローラ１０１は、スピンドルモータ１０２又はスライダモータ１０３に対して駆動信号ＳD を出力する。この駆動信号ＳD により、スピンドルモータ１０２又はスライダモータ１０３は、光ビームＢが再生すべきＤＶＤ１上の記録位置に照射されるようにピックアップ２を移動させる（図８破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcsl に基づきスイッチ信号Ｓsw1 を出力し、ストリームスイッチ８２を開とすると共に、復調信号Ｓdmが出力され始めると、ストリームスイッチ８２を閉成して復調信号Ｓdmをトラックバッファ８３に出力する。
【０１６７】
次に、上記再生装置Ｓ２のうち、特にトラックバッファ８３の動作について図９を用いて詳説する。なお、図９はトラックバッファ８３における情報の書き込み及び読み出しの時間変化をトラックバッファ８３の使用量（バッファ占有量）との関係で示したものである。また、図９において、符号Ｗr はトラックバッファ８３への書き込みレートであり、符号Ｒr はトラックバッファ８３からの読み出しレートであり、一般に、
Ｗr ＞Ｒr
とされる。
【０１６８】
上述のように、トラックバッファ８３は、ＦＩＦＯメモリとして動作し、ＭＰＥＧ２方式における可変のデータレートを補償すると共に、シームレス再生等におけるトラックジャンプに起因して不連続に入力される復調信号Ｓdmを連続的に出力し、当該不連続による再生の中断を解消するためのものである。
【０１６９】
図９において、最初にトラックバッファ８３への復調信号Ｓdmの書き込みを行うと（（イ）点）、トラックバッファ８３内のバッファ占有量は上昇していく。この書き込みは、ストリームスイッチ８２を閉成することにより行われる。
【０１７０】
そして、トラックバッファ８３が最大容量まで占有されると（（ロ）点）、トラックバッファ８３がオーバフローしないようにストリームスイッチ８２を開成して書き込みを一時的に中止し、ストリームスイッチ８４を閉成して読み出しを開始する。そして、バッファ占有量が、トラックバッファ８３におけるアンダーフロー（トラックバッファ８３が空になって復調信号Ｓdmの読み出しができなくなる状態）を防止すべく予め設定された占有量Ａまで低下すると、読み出しレートＲr での読み出しを継続しつつストリームスイッチ８２を閉成し、書き込みレートＷr での書き込みを再開する（（ハ）点）。これ以降のバッファ占有量の増加レートは、（Ｗr −Ｒr ）となる。
【０１７１】
そして、トラックバッファ８３が再び最大容量まで占有されると（（ニ）点）書き込みを一時的に中止し、読み出し（読み出しレートＲr ）のみを行う。
【０１７２】
以後は、この動作が繰返されることにより、図９下段に示すように、トラックバッファ８３への書き込みは間欠的となるが、読み出しは連続して行われる。このとき、読み出しレートＲr は書き込みレートＷr より小さければ任意の値とすることができ、一定である必要がないので、ＭＰＥＧ２方式により可変レートで検出される復調信号Ｓdmの単位時間当たりのデータ量に対応して、単位時間当たりのデータ量が多いときには読み出しレートＲr を高くし、単位時間当たりのデータ量が少ないときには読み出しレートＲr を低くすることができる。
【０１７３】
また、データサーチのためにピックアップがトラックジャンプした場合に、トラックバッファ８３への書き込みが長時間停止しても（（ホ）点）、その占有量が零になる前に書き込みを開始すれば（（ヘ）点）、読み出しが中断することがない。このトラックバッファ８３の容量に対応して、上記インターリーブドユニットＩＵをトラックジャンプすることによりトラックバッファ８３への書き込みが長時間停止してもトラックバッファ８３からの読み出しが停止しないように上記インターリーブドユニットＩＵの長さ（図４参照）が設定される。
【０１７４】
なお、ここでは、データ読み出しの開始は、トラックバッファ８３が最大占有量になった後としたが、これに限らず、占有量が最大になる前に読み出しを開始してもよいし、書き込み開始と同時に読み出しを開始してもよい。
【０１７５】
以上のトラックバッファ８３の動作により、可変レート方式による記録情報Ｒに対応して、上記シームレス再生が可能となるのである。すなわち、断続的に書き込まれたデータをトラックバッファ８３により連続的に接続して出力することで、シームレス再生や可変レート方式に対応した再生が可能となるのである。
【０１７６】
また、以上のトラックバッファ８３の説明においては、データの読み出しは連続的で、読み出しレートＲr が変化するものとして説明したが、データの読み出しを所定の高レートＲh （Ｒh ＞（Ｒr の最大値））で間欠的に行い、実際にデータが読み出される期間の長さを制御することにより、可変レート方式に対応するようにしてもよい。この場合であっても、平均的に見れば、読み出しレートＲr を変化させて連続的にデータ読み出しが行われることと等価となる。このとき、間欠的に読み出されるデータの平滑化は、デマルチプレクサ８６の後段の各バッファで行われる。
【０１７７】
ここで、図９からも明らかなように、トラックバッファ８３における一のデータの入力時刻と出力時刻の差、すなわち、トラックバッファ８３における遅延時間は、一定ではなく、読み出しレートＲr によっても大きく変化する。更に、所定のサーチ動作が行われても連続的にデータを出力するために、トラックバッファ８３自体のバッファ容量を大きくする必要がある。従って、遅延時間自体も必然的に長くなることになる。
【０１７８】
このとき、ＰＣＩデータ５０とＤＳＩデータ５１を分離せずに一体としてトラックバッファ８３への入力前で検出してこれに基づき制御したとすると、再生表示の制御に関して、実際に再生表示されているデータ（トラックバッファ８３から出力されたデータ）とＰＣＩデータ５０とのタイミングを整合させることが、トラックバッファ８３における遅延時間が一定でないことにより困難となり、正しい再生表示制御が困難となる。一方、ＰＣＩデータ５０とＤＳＩデータ５１を一体としてトラックバッファ８３の出力後に検出し、これに基づき制御したとすると、データの検索に関し、検索のためのピックアップの位置（当該ピックアップは、トラックバッファ８３の遅延時間に相当する時間だけ先に移動してしまっている。）をＤＳＩデータ５１と対応づけることが、トラックバッファ８３における遅延時間が一定でないことにより困難となり、正しい検索制御ができなくなる。
【０１７９】
そこで、本発明では、ＰＣＩデータ５０とＤＳＩデータ５１を分離して記録することにより、再生装置Ｓ２においてトラックバッファ８３への復調信号Ｓdmの入力前にＤＳＩデータ５１を抽出して検索制御することによりピックアップ８０のＤＶＤ１上の位置を把握しつつ検索制御することが可能となり、更に、トラックバッファ８３からの復調信号Ｓdmの出力後にＰＣＩデータ５１を抽出して再生表示制御することにより実際に再生表示制御されている映像、音声又は副映像に対応付けて再生表示制御することが可能となるのである。
【０１８０】
次に、本願に対応するＰＣＩバッファ９４の動作について、図１０を用いて詳説する。
【０１８１】
上述のように、ＰＣＩバッファ９４は、ＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。
【０１８２】
従って、ＰＣＩバッファ９４では、当該ＰＣＩバッファ９４に入力されたＰＣＩ信号Ｓpcに含まれるＰＣＩデータ５０に対応するビデオ信号Ｓv 等のデコードが、図８に示すビデオデコーダ８８、サブピクチャデコーダ９０及びオーディオデコーダ９３の夫々において終了するまでの間、入力されたＰＣＩデータ５０を保持し、ビデオ信号Ｓv 等のデコードが完了した時点で当該ＰＣＩデータ５０をＰＣＩデコーダ９５に出力する必要がある。このことから、ＰＣＩバッファ９４の記憶容量としては、上記ビデオ信号Ｓv 等のデコードが終了するまでの間に入力される全てのＰＣＩデータ５０を夫々個別に保持するだけの容量が必要となる。
【０１８３】
ところで、ビデオ信号Ｓv 等のデコードのための遅延時間は、最大でも１秒とし、全てのデコードを１秒以内とすることが、ＭＰＥＧ２方式の規格上定められている。よって、上記ＰＣＩバッファ９４の最大容量も、１秒間に入力されるＰＣＩデータ５０を全て個別に（より具体的には、当該ＰＣＩデータ５０を格納しているパケットと呼ばれる単位毎に）記憶できるだけの容量が必要となる。
【０１８４】
そこで、本発明においては、上述のように、一のナビパック４１と当該一のナビパック４１に隣接するナビパック４１との間に記録されているデータに対応する再生時間の下限値を０．４秒として、上記ビデオ信号Ｓv 等のデコード中にＰＣＩバッファ９４に入力されるＰＣＩデータ５０の数を最大で３個に制限している。このように設定すれば、図１０に示すように、ビデオ信号Ｓv 等のデコードに最大時間を要し、実際に出力されるデータが１秒遅れて出力されても、その間にＰＣＩバッファ９４に入力するＰＣＩデータ５０の数は３個（図１０において、符号ＰＣＩ1 乃至ＰＣＩ3 で示されるＰＣＩデータ５０）以下となり、従って、ＰＣＩバッファ９４の記憶容量も３個分のＰＣＩデータ５０に相当する記憶容量のみでよいこととなり、ＰＣＩバッファ９４を小型化して低コスト化することができるのである。
【０１８５】
次に、ＰＣＩデータ５０及びＤＳＩデータ５１を実際に用いた再生装置Ｓ２の動作例について具体的に説明する。
【０１８６】
始めに、ＤＳＩデータ５１を用いた代表的な再生動作であるタイムサーチ動作について、システムコントローラ１００の動作を中心として図１１に示すフローチャートに基づき説明する。ここで、タイムサーチ動作とは、ＤＳＩデータ５１内に記録されているセル２０内の経過時間情報及びＶＯＢユニットサーチ情報を用いて、視聴者により入力部９８から指定されたフレーム画像の検索を行いその位置に対応する画像を出画する動作である。なお、フレーム画像とは、図２に示すＧＯＰ５２内のピクチャのうち、いずれか一のピクチャに対応して再生される画像である。
【０１８７】
図１１に示すように、タイムサーチ動作においては、初めに、入力部９８から検索すべきフレーム画像に対応する目標時刻ｔs が入力されると、ＶＴＳ３に含まれるＰＧＣＩ毎のタイムサーチ情報と、ＰＧＣＩ中の夫々のセル２０の再生時間を示すセル再生時間情報に基づき、当該目標時刻ｔs が含まれるセル２０を算出すると共に、そのセル２０内で、所定の時間分解能（例えば１０秒）を基準として、目標時刻ｔs より手前で目標時刻ｔs に最も近い先頭フレームを有するＶＯＢユニット３０を算出する（ステップＳ１）。そして、ピックアップ８０をジャンプさせて算出したＶＯＢユニット３０の先頭にあるナビパック４１を検索し（ステップＳ２）、検索したナビパック４１内のＤＳＩデータ５１に記録されているセル２０内の経過時間情報を参照して、上記時間分解能より高い精度で、ピックアップ２がジャンプした位置に記録されている先頭フレーム画像に対応する時刻ｔc を取得する（ステップＳ３）。
【０１８８】
その後、目標時刻ｔs とピックアップ８０の現在位置に対応する時刻ｔc を比較する（ステップＳ４）。この時点では、ピックアップ８０は目標時刻ｔs に対応する位置より手前にあり、ピックアップ８０の現在位置に対応する時刻ｔc は目標時刻ｔs より早いので（ステップＳ４；ＮＯ）、ピックアップ８０の現在位置に対応するＤＳＩデータ５１内のＶＯＢユニットサーチ情報を参照して、ピックアップ８０を前方の（時間的に先の）ＶＯＢユニット３０へジャンプさせ（ステップＳ５）、ジャンプした先のピックアップ８０の位置に対応する時刻ｔc を取得する（ステップＳ３）。以上の動作を繰返すことにより、目標時刻ｔs が含まれるＶＯＢユニット３０の一つ前方の（時間的に先の）ＶＯＢユニット３０までジャンプさせる。そして、目標時刻ｔs が含まれるＶＯＢユニット３０の一つ前方のＶＯＢユニット３０までジャンプしたことが判断されると（ステップＳ４；ＹＥＳ）、次に、ジャンプした先のＶＯＢユニット３０に含まれるＤＳＩデータ５１内のＶＯＢユニットサーチ情報を参照して一つ後方の（時間的に後の）ＶＯＢユニット３０にピックアップ８０をジャンプさせる。以上のステップＳ１乃至Ｓ６の動作により、目標時刻ｔs が含まれるＶＯＢユニット３０の先頭にピックアップ８０を到達させることができる。
【０１８９】
その後、目標時刻ｔs が含まれるＶＯＢユニット３０において、当該ＶＯＢユニット３０に含まれるＤＳＩデータ５１に記録されているセル２０内の経過時間情報を参照してピックアップ８０の現在位置に対応する時刻ｔc を取得する（ステップＳ７）。このときの時刻ｔc は、目標時刻ｔs が含まれるＶＯＢユニット３０の先頭のフレーム画像の、当該ＶＯＢユニット３０が属するＰＧＣ６１の先頭からの起算したフレーム数に対応する時刻となる。
【０１９０】
そして、当該時刻ｔc に対応するフレーム画像と目標時刻ｔs に対応するフレーム画像との差のフレーム数Ｆr を求め（ステップＳ８）、次に、ピックアップ８０の現在位置が含まれるＶＯＢユニット３０の先頭のフレーム画像から再生を開始し（ステップＳ９）、フレーム数Ｆr 分だけ出画を停止し（ステップＳ１０；ＮＯ）、フレーム数Ｆr 分だけ再生したら（ステップＳ１０；ＹＥＳ）その画像から出画を開始して（ステップＳ１１）、タイムサーチ動作の処理を終了する。
【０１９１】
以上説明したように、トラックバッファ８３に入力する前に取得されるＤＳＩデータ５１に記録されているセル２０内の経過時間情報及びＶＯＢユニットサーチ情報を用いて指定された目標時刻ｔs に対応する画像から再生を開始することができるのである。
【０１９２】
次に、ＤＳＩデータ５１を用いた他の再生動作であるシームレスアングル切り換え再生について、システムコントローラ１００の動作を中心として図１２に示すフローチャートを用いて説明する。なお、アングル切り換え再生が、シームレスアングル切り換え再生であるか又は非シームレスアングル切り換え再生であるかの判別は、アングル飛び先情報が記述されているのがＤＳＩデータ５１であるか若しくはＰＣＩデータ５０であるかによって判別される。
【０１９３】
図１２に示すように、シームレスアングル切り換え再生動作においては、初めに、視聴者が入力部９８を介してアングル切り換え動作を指令したか否かが判断され（ステップＳ１１）、指令がされると（ステップＳ１１；ＹＥＳ）、再生中の画面に対応するアングルについて、システムコントローラ１００はＤＳＩデータ５１内のシームレス情報（図５（ａ）参照）に記述されている再生中のインターリーブドユニットＩＵの最終アドレス情報を参照し、このアドレスまで再生して対応する復調信号Ｓdmをトラックバッファ８３に書き込み、その後書き込みを一時的に停止する（ステップＳ１２）。
【０１９４】
この書き込み停止と同時に、システムコントローラ１００は、アングル切り換えを行う切り換え先のアングルについて、切り換え前のアングルに対応する上記ＤＳＩデータ５１内のアングル飛び先情報（図５（ａ）参照）を参照して、そこに記述されているアングル飛び先のアドレス情報を検出し、そのアドレス情報に対応するＤＶＤ１上の記録位置にピックアップ８０をジャンプさせる（ステップＳ１３）。そして、ジャンプした先の記録位置から再生を再開してトラックバッファ８３への書き込みを再開し（ステップＳ１４）、再生した映像情報等の出画を開始する（ステップＳ１５）。以上の動作により、アングル切り換え前の最後のＶＯＢユニット３０とアングル切り換え後の最初のＶＯＢユニット３０とがトラックバッファ８３の中で接続され、出画される画像上はシームレス再生となり、映像が連続したアングル切り換え再生が可能となるのである。
【０１９５】
次に、ＰＣＩデータ５０を用いた代表的な再生動作である非シームレスアングル切り換え再生動作について、システムコントローラ１００の動作を中心として図１３に示すフローチャートに基づき説明する。
【０１９６】
図１３に示すように、非シームレスアングル切り換え再生動作においては、初めに、視聴者が入力部９８を介してアングル切り換え動作を指令したか否かが判断され（ステップＳ２０）、指令がされると（ステップＳ２０；ＹＥＳ）、再生中の画面に対応するアングルについて、システムコントローラ１００は直ちに静止画状態にし、トラックバッファ８３内に蓄積されているデータを全て破棄してトラックバッファ８３への復調信号Ｓdmの入力を禁止する（ステップＳ２１）。
【０１９７】
この書き込み停止と同時に、システムコントローラ１００は、アングル切り換えを行う切り換え先のアングルについて、切り換え前のアングルに対応する上記ＰＣＩデータ５０内のアングル飛び先情報（図５（ｂ）参照）を参照して、そこに記述されているアングル飛び先のアドレス情報を検出し、そのアドレス情報に対応するＤＶＤ１上の記録位置にピックアップ８０をジャンプさせる（ステップＳ２２）。そして、ジャンプした先の記録位置から再生を再開してトラックバッファ８３への書き込みを再開し（ステップＳ２３）、トラックバッファ８３が最大容量まで書き込まれたとき（ステップＳ２４；ＹＥＳ）、切り換え後のアングルに対応する映像の最初のＶＯＢユニット３０がトラックバッファ８３から読み出され、静止画状態が解除されて（ステップＳ２５）、切り換え後のＶＯＢユニット３０から映像情報等の出画を開始する（ステップＳ２６）。以上の動作により、表示中のＶＯＢユニット３０に対して時間的にほぼ同一の他のアングルのＶＯＢユニット３０からの出画が可能となる。
【０１９８】
以上説明したように、実施の形態の再生装置Ｓ２によれば、ＤＳＩデータ５１がトラックバッファ８３に復調信号Ｓdmが入力される前に抽出されるので、ピックアップ８０のＤＶＤ１上の検出位置に対応したＤＳＩデータ５１が得られることとなり、容易に再生すべき記録情報Ｒの検索を行うことができる。
【０１９９】
また、ＰＣＩデータ５０がトラックバッファ８３から復調信号Ｓdmが出力された後に抽出されるので、実際に記録情報が表示されるタイミングに対応して再生表示制御を行うことができる。
【０２００】
更に、ハイライト情報がその有効期間を示す有効期間情報を有しているので、映像情報等の記録情報の再生に対応させてメニュー画面等における選択項目を再生表示制御することができると共に、任意の期間でハイライト情報による選択動作を有効とすることができる。
【０２０１】
更にまた、ＤＳＩデータ５１がアクセス（検出）したいデータのＤＶＤ１上の記録位置（目標位置）を示すＶＯＢユニットサーチ情報を含むので、トラックバッファ８３に入力される前に当該目標位置を示すＶＯＢユニットサーチ情報を取得することができることとなり、検出すべき記録情報Ｒの検索を容易に行うことができる。
【０２０２】
また、ナビパック４１間にあるデータの再生時間の下限値が０．４秒とされているので、ＰＣＩバッファ９４の記憶容量を必要最小限とし、再生装置Ｓ２自体を低コスト化することができる。
【０２０３】
なお、上記の各実施の形態においては、ＭＰＥＧ２方式により可変レートで圧縮された情報をＤＶＤ１に記録する場合及びその再生について本発明を適用した場合について説明したが、本発明はこれに限らず、再生時においてトラックバッファを使用するものであれば、情報の圧縮方法は固定レート方式であってもよく、圧縮の方式によらず種々の情報の記録及び再生について適用可能である。また、情報記録媒体の形態も上記ＤＶＤ１に限られるものではない。
【図面の簡単な説明】
【０２０４】
【図１】記録情報の物理的構造（物理フォーマット）を示す図である。
【図２】ＧＯＰを構成するフレーム画像を示す図である。
【図３】記録情報の論理的構造（論理フォーマット）を示す図である。
【図４】インターリーブドユニットの構造を示す図である。
【図５】ＰＣＩデータ及びＤＳＩデータに含まれる情報を説明する図であり、（ａ）はＤＳＩデータに含まれる情報を説明する図であり、（ｂ）はＰＣＩデータに含まれる情報を説明する図である。
【図６】ハイライト情報を説明する図である。
【図７】記録装置の概要構成を示すブロック図である。
【図８】再生装置の概要構成を示すブロック図である。
【図９】トラックバッファの動作を示す図である。
【図１０】ＰＣＩバッファの動作を示す図である。
【図１１】タイムサーチ動作を示すフローチャートである
【図１２】シームレスアングル切り換え再生動作を示すフローチャートである。
【図１３】非シームレスアングル切り換え再生動作を示すフローチャートである。
【符号の説明】
【０２０５】
１・・・ＤＶＤ
２・・・ビデオマネージャ
３、６３・・・ＶＴＳ
１０・・・ＶＯＢ
１１・・・コントロールデータ
２０・・・セル
３０・・・ＶＯＢユニット
４１・・・ナビパック
４２・・・ビデオデータ
４３・・・オーディオデータ
４４・・・サブピクチャデータ
５０・・・ＰＣＩデータ
５１・・・ＤＳＩデータ
５２・・・ＧＯＰ
６０・・・プログラム
６１、６１Ａ、６１Ｂ・・・ＰＧＣ
６２・・・タイトル
７０・・・ＶＴＲ
７１・・・メモリ
７２・・・信号処理部
７３、７４・・・ハードディスク装置
７５・・・コントローラ
７６・・・多重器
７７・・・変調器
７８・・・マスタリング装置
８０・・・ピックアップ
８１・・・復調訂正部
８２、８４・・・ストリームスイッチ
８３・・・トラックバッファ
８５・・・システムバッファ
８６・・・デマルチプレクサ
８７・・・ＶＢＶバッファ
８８・・・ビデオデコーダ
８９・・・サブピクチャバッファ
９０・・・サブピクチャデコーダ
９１・・・混合器
９２・・・オーディオバッファ
９３・・・オーディオデコーダ
９４・・・ＰＣＩバッファ
９５・・・ＰＣＩデコーダ
９６・・・ハイライトバッファ
９７・・・ハイライトデコーダ
９８・・・入力部
９９・・・ディスプレイ
１００・・・システムコントローラ
１０１・・・ドライブコントローラ
１０２・・・スピンドルモータ
１０３・・・スライダモータ
Ｂ・・・光ビーム
Ｓ１・・・記録装置
Ｓ２・・・再生装置
ＳＴ・・・キューシート
Ｓr・・・圧縮多重信号
Ｓi・・・制御情報信号
Ｓa・・・付加情報信号
Ｓcc・・・情報選択信号
Ｓm・・・ディスク記録信号
Ｓap・・・情報付加圧縮多重信号
Ｓpci・・・ＰＣＩ情報信号
Ｓdsi・・・ＤＳＩ情報信号
Ｓp・・・検出信号
Ｓdm・・・復調信号
Ｓsw1 、Ｓsw2・・・スイッチ信号
Ｓin・・・入力信号
Ｓdp・・・表示信号
Ｓcsl・・・シームレス制御信号
Ｓc・・・制御信号
Ｓlc・・・ストリーム選択信号
Ｓca・・・ポーズ信号
Ｓch・・・ハイライト制御信号
Ｓhi・・・ハイライト信号
Ｓpc・・・ＰＣＩ信号
Ｓad・・・オーディオ信号
Ｓsp・・・副映像信号
Ｓv・・・ビデオ信号
Ｓvd・・・復調ビデオ信号
Ｓspd・・・復調副映像信号
Ｓadd・・・復調オーディオ信号
Ｓvp・・・映像信号
Ｓhid・・・復調ハイライト信号
Ｔt・・・タイムコード
Ｒ・・・記録情報
【図１】
0003961001.tif 000002
【図２】
0003961001.tif 000003
【図３】
0003961001.tif 000004
【図４】
0003961001.tif 000005
【図５】
0003961001.tif 000006
【図６】
0003961001.tif 000007
【図７】
0003961001.tif 000008
【図８】
0003961001.tif 000009
【図９】
0003961001.tif 000010
【図１０】
0003961001.tif 000011
【図１１】
0003961001.tif 000012
【図１２】
0003961001.tif 000013
【図１３】
0003961001.tif 000014